(57)【特許請求の範囲】
【請求項１】
嵌合接続される雌雄一対のコネクタハウジングを備えるコネクタであって、
雌雄一対のコネクタハウジングの内の何れか一方のコネクタハウジングは、相手コネクタハウジングとの嵌合開始位置に位置決めされた場合に先端部が相手コネクタハウジングの後端部よりも相手コネクタハウジングの後方側に突出するようにコネクタハウジング相互の嵌合方向に沿って突設された第１突起部と、別体の棒状部材の先端をコネクタハウジング相互の嵌合方向と交差する方向に挿入可能に前記第１突起部の先端部に形成された第１の凹部と、を備え、
前記雌雄一対のコネクタハウジングの内の他方のコネクタハウジングは、前記一方のコネクタハウジングとの嵌合開始位置に位置決めされた場合にコネクタハウジング相互の嵌合方向と略直交する方向に前記第１突起部の先端部と対向するように前記他方のコネクタハウジングの後端部から後方に向かって突設された第２突起部と、先端を前記第１の凹部に挿入した前記棒状部材の中間部外側面が当接可能に前記第２突起部の先端部に形成された第１の当接面と、を備え、
コネクタハウジング相互を嵌合開始位置に位置決めした状態で前記第１の凹部に先端部を挿入すると共に前記第１の当接面に中間部外側面を当接した前記棒状部材が、コネクタハウジング相互を嵌合させるレバーとして利用されることを特徴とするコネクタ。
【請求項２】
前記第１突起部は、前記他方のコネクタハウジングの略中央に貫通形成された軸挿通孔を挿通して他方のコネクタハウジングの後端側に突出するように、装備されていることを特徴とする請求項１に記載のコネクタ。
【請求項３】
前記第２突起部の先端部には、前記棒状部材の先端をコネクタハウジング相互の嵌合方向と交差する方向に挿入可能な第２の凹部を備え、
前記第１突起部の先端部には、先端を前記第２の凹部に挿入した前記棒状部材の中間部外側面が当接可能な第２の当接面を備え、
コネクタハウジング相互を嵌合接続した状態で前記第２の凹部に先端部を挿入すると共に前記第２の当接面に中間部外側面を当接した前記棒状部材が、コネクタハウジング相互の嵌合を解除させるレバーとして利用されることを特徴とする請求項１又は２に記載のコネクタ。
【請求項４】
前記第１の凹部、前記第１の当接面、前記第２の凹部、前記第２の当接面のそれぞれが、前記棒状部材として汎用工具であるドライバを使用可能に形成されていることを特徴とする請求項１〜３の何れか一項に記載のコネクタ。
【発明の詳細な説明】
【技術分野】
【０００１】
本発明は、コネクタハウジング相互を低挿入力で嵌合接続することのできるコネクタに関する。
【背景技術】
【０００２】
図７は、コネクタハウジング相互を低挿入力で嵌合接続することのできるコネクタの従来例を示したものである。
図７に示したコネクタ１００は、下記特許文献１に開示されたものである。
【０００３】
このコネクタ１００は、所謂レバー式コネクタで、先端側に相手コネクタハウジングを嵌合させるフード部１１１を有した雌コネクタハウジング１１０と、フード部１１１に雌雄嵌合する雄コネクタハウジング１２０と、雄コネクタハウジング１２０に回動可能に組み付けられたレバー１３０と、を備える。
【０００４】
レバー１３０は、その長手方向（図７の矢印Ｘ１方向）の中間部が雄コネクタハウジング１２０に突設された支点軸１２１に係合することで、雄コネクタハウジング１２０に回動可能に連結されている。図７に示す矢印Ｒ１は、支点軸１２１を支点としたレバー１３０の回動方向を示している。
【０００５】
雄コネクタハウジング１２０は、図示のようにレバー１３０の一端部１３１が雌コネクタハウジング１１０側に下がった傾斜状態で、雌コネクタハウジング１１０との嵌合開始位置に位置決めされる。
【０００６】
レバー１３０の一端部１３１には、該レバー１３０の他端部１３２を押下して支点軸１２１回りに回動させたときに、雌コネクタハウジング１１０側に装備された不図示の凹部と係合する突起部が、設けられている。また、レバー１３０の他端部１３２には、押下された際に雄コネクタハウジング１２０を押下方向に押し下げるハウジング押し込み部が設けられている。
【０００７】
以上のコネクタ１００は、雌コネクタハウジング１１０と雄コネクタハウジング１２０とを嵌合開始位置に位置決めした後、レバー１３０の他端部１３２を雌コネクタハウジング１１０側に押下すると、一端部１３１を雌コネクタハウジング１１０に係合させたレバー１３０が梃子部材として機能して、雄コネクタハウジング１２０に大きな押し込み力を作用させるため、低挿入力で、コネクタハウジング相互を嵌合接続させることができる。
【先行技術文献】
【特許文献】
【０００８】
【特許文献１】特開２００２−３５９０２８号公報
【発明の概要】
【発明が解決しようとする課題】
【０００９】
ところが、コネクタハウジング相互の嵌合接続用のレバー１３０を備える上記のコネクタ１００は、レバー１３０のために構成部品の増加や組立工程の増加といった問題を招いた。
【００１０】
また、レバー１３０をてことして利用する際にレバー１３０に入力する挿入力（押下力）の大きさは、てこ比によって決まる。挿入力を小さくするには、レバー１３０の長さ寸法を大きくして、てこ比を増大させることが有効である。
【００１１】
しかし、挿入力を小さくするためにレバー１３０の長さ寸法を大きくすると、コネクタが大型化してしまうという問題が生じてしまう。
【００１２】
そこで、本発明の目的は、上記課題を解消することに係り、構成部品の増加や組立工程の増加を招かずに、コネクタハウジング相互をレバー式コネクタと同等又はそれ以上の低挿入力で嵌合接続することのでき、また、小型化にも適したコネクタを提供することにある。
【課題を解決するための手段】
【００１３】
本発明の前述した目的は、下記の構成により達成される。
（１）嵌合接続される雌雄一対のコネクタハウジングを備えるコネクタであって、
雌雄一対のコネクタハウジングの内の何れか一方のコネクタハウジングは、相手コネクタハウジングとの嵌合開始位置に位置決めされた場合に先端部が相手コネクタハウジングの後端部よりも相手コネクタハウジングの後方側に突出するようにコネクタハウジング相互の嵌合方向に沿って突設された第１突起部と、別体の棒状部材の先端をコネクタハウジング相互の嵌合方向と交差する方向に挿入可能に前記第１突起部の先端部に形成された第１の凹部と、を備え、
前記雌雄一対のコネクタハウジングの内の他方のコネクタハウジングは、前記一方のコネクタハウジングとの嵌合開始位置に位置決めされた場合にコネクタハウジング相互の嵌合方向と略直交する方向に前記第１突起部の先端部と対向するように前記他方のコネクタハウジングの後端部から後方に向かって突設された第２突起部と、先端を前記第１の凹部に挿入した前記棒状部材の中間部外側面が当接可能に前記第２突起部の先端部に形成された第１の当接面と、を備え、
コネクタハウジング相互を嵌合開始位置に位置決めした状態で前記第１の凹部に先端部を挿入すると共に前記第１の当接面に中間部外側面を当接した前記棒状部材が、コネクタハウジング相互を嵌合させるレバーとして利用されることを特徴とするコネクタ。
【００１４】
（２）前記第１突起部は、前記他方のコネクタハウジングの略中央に貫通形成された軸挿通孔を挿通して他方のコネクタハウジングの後端側に突出するように、装備されていることを特徴とする上記（１）に記載のコネクタ。
【００１５】
（３）前記第２突起部の先端部には、前記棒状部材の先端をコネクタハウジング相互の嵌合方向と交差する方向に挿入可能な第２の凹部を備え、
前記第１突起部の先端部には、先端を前記第２の凹部に挿入した前記棒状部材の中間部外側面が当接可能な第２の当接面を備え、
コネクタハウジング相互を嵌合接続した状態で前記第２の凹部に先端部を挿入すると共に前記第２の当接面に中間部外側面を当接した前記棒状部材が、コネクタハウジング相互の嵌合を解除させるレバーとして利用されることを特徴とする上記（１）又は（２）に記載のコネクタ。
【００１６】
（４）前記第１の凹部、前記第１の当接面、前記第２の凹部、前記第２の当接面のそれぞれが、前記棒状部材として汎用工具であるドライバを使用可能に形成されていることを特徴とする上記（１）〜（３）の何れか１つに記載のコネクタ。
【００１７】
上記（１）の構成によれば、コネクタハウジング相互を嵌合開始位置に位置決めした状態で第１の凹部に先端部を挿入（係合）すると共に第１の当接面に中間部外側面を当接した棒状部材は、その基端側を押下すると、一方のコネクタハウジングを他方のコネクタハウジングに押し込むレバーとして機能し、レバー式コネクタと同様に、コネクタハウジング相互の嵌合接続時の挿入力を小さくすることができる。
【００１８】
また、棒状部材は、コネクタを構成するそれぞれのコネクタハウジングとは別体であり、別体の工具としての取り扱いで活用することができ、事前にコネクタハウジングに組み付けするレバーとは異なり、組立工程の増加を招かない。更に、棒状部材は、それぞれのコネクタハウジングとは別体の工具等として取り扱うことができるため、所望のてこ比を得るべく長さを大きくしても、コネクタの大型化を招くことがなく、てこ比の増大によって更に低挿入力化や、コネクタの小型化を図ることができる。
【００１９】
従って、組立工程の増加を招かずに、コネクタハウジング相互をレバー式コネクタと同等又はそれ以上の低挿入力で嵌合接続することができ、また、小型化を図ることもできる。
【００２０】
上記（２）の構成によれば、第１突起部が他方のコネクタハウジングの略中央を挿通していて、棒状部材をレバー部材として機能させるコネクタハウジング相互の嵌合接続操作時に、棒状部材から第１突起部を介して一方のコネクタハウジングに作用する嵌合方向の荷重は、第１突起部の装備位置である一方のコネクタハウジングの略中央に作用する。
【００２１】
そのため、一方のコネクタハウジングに傾きや拗りが生じることを抑止して、コネクタハウジング相互の嵌合を円滑化することができる。
【００２２】
上記（３）の構成によれば、コネクタハウジング相互の嵌合接続が完了した状態で、第２の凹部に先端部を挿入（係合）すると共に第２の当接面に中間部外側面を当接した棒状部材は、その基端側を押下すると、コネクタハウジング相互の嵌合を解除するレバーとして機能し、レバー式コネクタと同様に、コネクタハウジング相互の離脱時の操作力を小さくすることもできる。
【００２３】
上記（４）の構成によれば、棒状部材には汎用工具であるドライバを使用することで、専用の棒状部材を用意する必要がなくなり、コネクタの構成部品の増加を防止することができる。
【発明の効果】
【００２４】
本発明によるコネクタによれば、コネクタハウジング相互を嵌合開始位置に位置決めした状態で第１の凹部に先端部を挿入（係合）すると共に第１の当接面に中間部外側面を当接した棒状部材は、その基端側を押下すると、一方のコネクタハウジングを他方のコネクタハウジングに押し込むレバーとして機能し、レバー式コネクタと同様に、コネクタハウジング相互の嵌合接続時の挿入力を小さくすることができる。
【００２５】
また、棒状部材は、コネクタを構成するそれぞれのコネクタハウジングとは別体であり、別体の工具としての取り扱いで活用することができ、事前にコネクタハウジングに組み付けするレバーとは異なり、組立工程の増加を招かない。更に、棒状部材は、所望のてこ比を得るべく長さを大きくしても、コネクタの大型化を招くことがなく、てこ比の増大によって更に低挿入力化や、コネクタの小型化を図ることができる。
【００２６】
従って、組立工程の増加を招かずに、コネクタハウジング相互をレバー式コネクタと同等又はそれ以上の低挿入力で嵌合接続することができ、また、小型化を図ることもできる。
【図面の簡単な説明】
【００２７】
【図１】本発明に係るコネクタの一実施形態の分解斜視図である。
【図２】図１に示したコネクタハウジング相互を棒状部材により嵌合接続する方法の説明図である。
【図３】図２の要部の拡大図である。
【図４】棒状部材による操作によって嵌合接続が完了した状態の斜視図である。
【図５】一実施形態のコネクタのコネクタハウジング相互を嵌合接続状態から棒状部材により離脱させる方法の説明図である。
【図６】図５の要部を図５とは異なる視点から視た拡大斜視図である。
【図７】従来の低挿入力コネクタの説明図である。
【発明を実施するための形態】
【００２８】
以下、本発明に係るコネクタの好適な実施形態について、図面を参照して詳細に説明する。
【００２９】
図１〜図６は本発明に係るコネクタの一実施形態を示したもので、図１は本発明に係るコネクタの一実施形態の分解斜視図、図２は図１に示したコネクタハウジング相互を棒状部材により嵌合接続する方法の説明図、図３は図２の要部の拡大図、図４は棒状部材による操作によって嵌合接続が完了した状態の斜視図、図５は一実施形態のコネクタのコネクタハウジング相互を嵌合接続状態から棒状部材により離脱させる方法の説明図、図６は図５の要部を図５とは異なる視点から視た拡大斜視図である。
【００３０】
この一実施形態のコネクタ１は、図１に示すように、相手コネクタハウジングが嵌合する略角筒状のフード部１１が先端に設けられた雄コネクタハウジング１０と、該雄コネクタハウジング１０に雌雄嵌合する雌コネクタハウジング２０と、を備える。
【００３１】
雌コネクタハウジング２０は、先端部２０ａをフード部１１内に所定の深さまで挿入することで、雄コネクタハウジング１０に嵌合接続される。
【００３２】
本実施形態の場合、一対の雌雄コネクタハウジング１０，２０の内の一方のコネクタハウジングに相当する雄コネクタハウジング１０は、雄端子収容部１２と、第１突起部１４と、第１の凹部１５と、第２の当接面１６と、を備えている。
【００３３】
雄端子収容部１２は、雄端子金具を収容する複数の端子収容孔１２ａを整列配置した構成で、複数の雄端子金具を収容保持する。雄端子収容部１２は、フード部１１とは逆側となる後端側（フード部１１の内奥部）に、設けられている。
【００３４】
第１突起部１４は、図１に示すように、略角柱状で、コネクタハウジング相互の嵌合方向に沿って突設されている。また、第１突起部１４は、雄コネクタハウジング１０の雄端子収容部１２の略中央に垂直に立設されている。また、第１突起部１４は、図２及び図３に示すように、雄コネクタハウジング１０のフード部１１に雌コネクタハウジング２０の先端部２０ａが挿入されて、雄コネクタハウジング１０が雌コネクタハウジング２０との嵌合開始位置に位置決めされた場合に、先端部１４ａが雌コネクタハウジング２０の後端部２０ｂよりも該雌コネクタハウジング２０の後方側（図２では、矢印Ｙ２側）に突出するように、突出長さが設定されている。
【００３５】
第１の凹部１５は、図１及び図２に示すように、コネクタハウジング１０，２０とは別体の棒状部材としてのドライバ３０の軸部３１の先端をコネクタハウジング相互の嵌合方向と交差する方向に挿入（係合）可能に、第１突起部１４の先端部１４ａに形成された窪みである。
【００３６】
第２の当接面１６は、第１突起部１４の先端部１４ａの先端面に形成されている。この第２の当接面１６は、先端を後述の第２の凹部２５（図５及び図６参照）に挿入したドライバ３０の軸部３１の中間部外側面が当接可能な面である。この第２の当接面１６は、軸部３１が軸と直交する方向にずれにくい溝状に形成されている。
【００３７】
雌雄一対のコネクタハウジング１０，２０の内の他方のコネクタハウジングである雌コネクタハウジング２０は、図１及び図６に示すように、複数の雌端子金具を収容保持する雌端子収容部２１と、軸挿通孔２２と、第２突起部２３と、第１の当接面２４と、第２の凹部２５と、を備える。
【００３８】
雌端子収容部２１は、雌端子金具を収容する複数の端子収容孔２１ａを整列配置した構成で、複数の雌端子金具を収容保持する。
【００３９】
軸挿通孔２２は、雄コネクタハウジング１０の第１突起部１４を挿通する孔で、雄コネクタハウジング１０における第１突起部１４の装備位置に対応して、雌コネクタハウジング２０の中央に貫通形成されている。
【００４０】
図３に示すように、雄コネクタハウジング１０と雌コネクタハウジング２０とを嵌合開始位置に位置決めすると、雄コネクタハウジング１０の第１突起部１４が雌コネクタハウジング２０の軸挿通孔２２を貫通して、第１突起部１４の先端部１４ａが、雌コネクタハウジング２０の後端側に突出する。
【００４１】
第２突起部２３は、雌コネクタハウジング２０の後端部２０ｂから後方に向かって突出するように、雌コネクタハウジング２０の後端部２０ｂの略中央に突設されている。
【００４２】
第２突起部２３は、図２に示すように雄コネクタハウジング１０との嵌合開始位置に位置決めされた場合に、第１突起部１４の先端部１４ａとコネクタハウジング相互の嵌合方向と略直交する方向に対向するように、配置されている。
【００４３】
第１の当接面２４は、先端を第１の凹部１５に挿入したドライバ３０の軸部３１の中間部外側面が当接可能に、第２突起部２３の先端部の頂部に形成されている。この第１の当接面２４は、軸部３１が軸と直交する方向にずれにくい溝状に形成されている。
【００４４】
第２の凹部２５は、図６に示すように、ドライバ３０の軸部３１の先端をコネクタハウジング相互の嵌合方向と交差（略直交）する方向に挿入（係合）可能な窪みである。この第２の凹部２５は、第２突起部２３の先端部で、第１の当接面２４より下側に配置されている。
【００４５】
次に、雄コネクタハウジング１０と雌コネクタハウジング２０を嵌合接続する方法、及び、嵌合接続されている雄コネクタハウジング１０と雌コネクタハウジング２０とを離脱させる方法を順に説明する。
【００４６】
まず、コネクタハウジング相互を嵌合接続する方法を、図２〜図４に基づいて説明する。
【００４７】
まず、図２及び図３に示すように雄コネクタハウジング１０と雌コネクタハウジング２０は嵌合開始位置に位置決めして、雌コネクタハウジング２０の後端側に突出した第１突起部１４の第１の凹部１５にドライバ３０の軸部３１の先端を挿入すると共に、軸部３１の中間部外側面を第２突起部２３の第１の当接面２４に当接させる。この状態で、図２の矢印Ｚ１に示すように、ドライバ３０の基端側（握り部側）を下方に押し下げる。
【００４８】
すると、図３に示すように、ドライバ３０の押し下げによって、第１突起部１４には矢印Ｙ２で示す上向きの引き上げ荷重が作用すると共に、第２突起部２３には矢印Ｙ３に示す下向きの押し下げ荷重が作用し、コネクタハウジング１０，２０相互が互いに嵌合方向に移動して、図４に示すようにドライバ３０が略水平状態になると、コネクタハウジング１０，２０相互の嵌合接続が完了する。
【００４９】
即ち、本実施形態のコネクタ１は、コネクタハウジング相互を嵌合開始位置に位置決めした状態で第１の凹部１５に先端部を挿入すると共に第１の当接面２４に中間部外側面を当接したドライバ３０の軸部３１が、コネクタハウジング相互を嵌合させるレバーとして利用される。
【００５０】
次に、コネクタハウジング相互を嵌合状態から離脱させる方法を、図５及び図６に基づいて説明する。
【００５１】
この場合は、図６に示すように、コネクタハウジング相互を嵌合接続した状態で、ドライバ３０の軸部３１の先端を第２の凹部２５に挿入すると共に、軸部３１の中間部外側面を第２の当接面１６に当接させる。そして、図５の矢印Ｚ２に示すように、ドライバ３０の基端側を下方に押し下げる。
【００５２】
すると、図６に示すように、ドライバ３０の押し下げによって、第１突起部１４には矢印Ｙ４で示す下向きの押し下げ荷重が作用すると共に、第２突起部２３には矢印Ｙ５に示す上向きの引き上げ荷重が作用し、コネクタハウジング１０，２０相互が互いに離脱方向に移動して、コネクタハウジング１０，２０相互の離脱が行われる。
【００５３】
即ち、本実施形態のコネクタ１は、コネクタハウジング相互を嵌合接続した状態で第２の凹部２５に先端部を挿入すると共に第２の当接面１６に中間部外側面を当接したドライバ３０の軸部３１が、コネクタハウジング相互の嵌合を解除させるレバーとして利用される。
【００５４】
以上に説明した本実施形態のコネクタ１では、コネクタハウジング相互を嵌合開始位置に位置決めした状態で第１の凹部１５に先端部を挿入すると共に第１の当接面２４に中間部外側面を当接したドライバ３０の軸部３１は、その基端側を押下すると、一方のコネクタハウジング１０を他方のコネクタハウジング２０に押し込むレバーとして機能し、レバー式コネクタと同様に、コネクタハウジング相互の嵌合接続時の挿入力を小さくすることができる。
【００５５】
また、ドライバ３０の軸部３１は、コネクタ１を構成するそれぞれのコネクタハウジングとは別体であり、別体の工具としての取り扱いで活用することができ、事前にコネクタハウジングに組み付けするレバーとは異なり、組立工程の増加を招かない。更に、ドライバ３０の軸部３１は、それぞれのコネクタハウジング１０，２０とは別体の工具等であるため、所望のてこ比を得るべく長さを大きくしても、コネクタ１の大型化を招くことがなく、てこ比の増大によって更に低挿入力化や、コネクタ１の小型化を図ることができる。
従って、組立工程の増加を招かずに、コネクタハウジング相互をレバー式コネクタと同等又はそれ以上の低挿入力で嵌合接続することができ、また、小型化を図ることもできる。
【００５６】
また、以上に説明した本実施形態のコネクタ１では、第１突起部１４が他方のコネクタハウジング２０の略中央を挿通していて、ドライバ３０の軸部３１をレバー部材として機能させるコネクタハウジング相互の嵌合接続操作時に、ドライバ３０の軸部３１から第１突起部１４を介して一方のコネクタハウジング１０に作用する嵌合方向の荷重は、第１突起部１４の装備位置である一方のコネクタハウジング１０の略中央に作用する。
【００５７】
そのため、一方のコネクタハウジング１０に傾きや拗りが生じることを抑止して、コネクタハウジング相互の嵌合を円滑化することができる。
【００５８】
また、以上に説明した本実施形態のコネクタ１では、コネクタハウジング相互の嵌合接続が完了した状態で、第２の凹部２５に先端部を挿入すると共に第２の当接面１６に中間部外側面を当接したドライバ３０の軸部３１は、その基端側を押下すると、コネクタハウジング相互の嵌合を解除するレバーとして機能し、レバー式コネクタと同様に、コネクタハウジング相互の離脱時の操作力を小さくすることもできる。
【００５９】
また、以上に説明した本実施形態のコネクタ１では、コネクタハウジング相互の嵌合や離脱に使用する棒状部材として、汎用工具であるドライバ３０を使用するため、専用の棒状部材を設計、製造する必要がなくなり、コネクタ１の構成部品の増加を防止することができる。
【００６０】
なお、本発明のコネクタ１は、前述した実施形態に限定されるものでなく、適宜な変形、改良等が可能である。
【００６１】
例えば、前述した実施形態では、雄コネクタハウジング１０に第１突起部１４を装備し、雌コネクタハウジング２０に第２突起部２３を装備したが、逆に、雌コネクタハウジング２０に雄コネクタハウジング１０を貫通する第１突起部１４を装備し、雄コネクタハウジング１０の後端側に第２突起部２３を装備することも可能である。
【００６２】
その他、前述した実施形態において例示した第１突起部１４や第２突起部２３の形状、寸法、配置箇所等は、本発明の目的を達成できるものであれば、任意であり、前述した実施形態に限定されない。
【符号の説明】
【００６３】
１  コネクタ
１０  雄コネクタハウジング（一方のコネクタハウジング）
１４  第１突起部
１４ａ  先端部
１５  第１の凹部
１６  第２の当接面
２０  雌コネクタハウジング（他方のコネクタハウジング）
２２  軸挿通孔
２３  第２突起部
２４  第１の当接面
２５  第２の凹部
３０  ドライバ
３１  軸部（棒状部材）
【図１】
0005631191.tif 000002
【図２】
0005631191.tif 000003
【図３】
0005631191.tif 000004
【図４】
0005631191.tif 000005
【図５】
0005631191.tif 000006
【図６】
0005631191.tif 000007
【図７】
0005631191.tif 000008